(57)【特許請求の範囲】
【請求項１】
被取付部材に揺動可能にクリップが取り付けられるクリップ取付構造において、
クリップ及び被取付部材のクリップベース部のいずれか一方には凸部が形成され、他方には凹部が形成されて、該凸部と凹部との間の嵌合により、クリップがクリップベース部に揺動可能に軸支され、互いに角度をなすように第１部分と第２部分とを備えて第１部分と第２部分とのなす角度が弾性的に変化可能となったＬ字状弾性体の第１部分がクリップに沿って設けられ、第２部分がクリップベース部の取付孔に挿入されて固定されて、前記弾性体の弾性力により、クリップの一端部と被取付部材との間で挟着力を発生させることを特徴とするクリップ取付構造。
【請求項２】
前記弾性体の第２部分には、その自由端部から切欠部が形成されて、該切欠部の自由端部付近には互いに対向する一対の挟持部が形成されており、該一対の挟持部が前記クリップベース部の取付孔内に形成された被挟持部を挟持することを特徴とする請求項１記載のクリップ取付構造。
【請求項３】
前記弾性体の第２部分はクリップの表裏を貫通する貫通孔を通ってクリップベース部の取付孔に挿入され、弾性体の第１部分はクリップの表側に形成されてクリップの長手方向に伸びる長溝内に収められることを特徴とする請求項１または２記載のクリップ取付構造。
【請求項４】
前記凸部の頂面の一部には、突出高さが漸次低くなるテーパ部分が形成されることを特徴とする請求項１ないし３のいずれか１項に記載のクリップ取付構造。
【請求項５】
クリップ及びクリップベース部の凹部が形成されているいずれか他方には、凹部に繋がる誘導溝が形成されることを特徴とする請求項１ないし４のいずれか１項に記載のクリップ取付構造。
【発明の詳細な説明】
【技術分野】
【０００１】
本発明は、筆記具や化粧具等の被取付部材にクリップが取り付けられるクリップ取付構造に関する。
【背景技術】
【０００２】
従来、この種のクリップ取付構造においてクリップの挟み効果が改良されたものとして、特許文献１に記載されたものが知られている。これによれば、軸筒やキャップ等の筒体の表面側に略Ｕ字状挟みバネの一端側を固定し、挟みバネの他端側を筒体の表面に沿わしめ、クリップにおける筒体との対向面と、筒体におけるクリップの対向面とで形成される枢支部にクリップを枢支している。より具体的には、略Ｕ字状挟みバネの一端側は、筒体に形成された挿入孔に、筒体の頂部側から挿入されるようになっており、また、略Ｕ字状挟みバネの他端側は、クリップの裏側から表側に向って斜めに挿通される挿通孔に、挿入されるようになっている。
【０００３】
【特許文献１】特開２００１−１４６０９４号公報
【発明の開示】
【発明が解決しようとする課題】
【０００４】
しかしながら、特許文献１の構成では、挟みバネが略Ｕ字状をなしており、その両端部が同じ方向を向いているので、その組立に手間がかかり、生産効率が悪いという問題がある。
【０００５】
また、特許文献１の構成では、クリップと筒体との間に位置する略Ｕ字状挟みバネの中央の基部が頂部の方向から明らかに露出されるために、見栄えが悪いという問題がある。即ち、略Ｕ字状挟みバネの基部と挟みバネの他端部がそれぞれ露出しているので、挟みバネの全体の形状が外部からほとんど認識できてしまい、見栄えが悪いという問題がある。
【０００６】
本発明はかかる課題に鑑みなされたもので、組立が容易にでき、且つ見栄えを良好にすることができるクリップ取付構造を提供することをその目的とする。
【課題を解決するための手段】
【０００７】
上記目的を達成するために、本発明のうち請求項１記載の発明は、被取付部材に揺動可能にクリップが取り付けられるクリップ取付構造において、
クリップ及び被取付部材のクリップベース部のいずれか一方には凸部が形成され、他方には凹部が形成されて、該凸部と凹部との間の嵌合により、クリップがクリップベース部に揺動可能に軸支され、互いに角度をなすように第１部分と第２部分とを備えて第１部分と第２部分とのなす角度が弾性的に変化可能となったＬ字状弾性体の第１部分がクリップに沿って設けられ、第２部分がクリップベース部の取付孔に挿入されて固定されて、前記弾性体の弾性力により、クリップの一端部と被取付部材との間で挟着力を発生させることを特徴とする。
【０００８】
請求項２記載の発明は、請求項１記載の前記弾性体の第２部分に、その自由端部から切欠部が形成されて、該切欠部の自由端部付近には互いに対向する一対の挟持部が形成されており、該一対の挟持部が前記クリップベース部の取付孔内に形成された被挟持部を挟持することを特徴とする。
【０００９】
請求項３記載の発明は、請求項１または２記載の前記弾性体の第２部分がクリップの表裏を貫通する貫通孔を通ってクリップベース部の取付孔に挿入され、弾性体の第１部分はクリップの表側に形成されてクリップの長手方向に伸びる長溝内に収められることを特徴とする。
【００１０】
請求項４記載の発明は、請求項１ないし３のいずれか１項に記載の前記凸部の頂面の一部には、突出高さが漸次低くなるテーパ部分が形成されることを特徴とする。
【００１１】
請求項５記載の発明は、請求項１ないし４のいずれか１項に記載のクリップ及びクリップベース部の凹部が形成されているいずれか他方には、凹部に繋がる誘導溝が形成されることを特徴とする。
【発明の効果】
【００１２】
本発明によれば、互いに角度をなすように設けられた第１部分と第２部分とを備える弾性体の第１部分をクリップに沿って設け、第２部分をクリップベース部に固定する構成とすることで、簡単に組立作業を行なうことができる。第２部分がクリップベース部に固定されることで外部に露出されないために、弾性体はその全体形状が外部から認識されにくく、よって、見栄えを良好にすることができる。
【００１３】
クリップで物を挟むときには、弾性体の弾性力に抗してクリップの一端部が被取付部材から離反するようにクリップを操作することで、クリップを大きく揺動することができ、且つクリップから力を解除すると、弾性体の復元力によってクリップは反対方向に揺動して、クリップの一端部と被取付部材との間で挟着力を発生させるので、物を確実に挟み付けることができる。
また、凸部と凹部との嵌合により、クリップベース部にクリップが揺動可能に軸支されるために、弾性体が破損した場合でも、クリップがクリップベース部から外れることがない。
【００１４】
請求項２記載の発明によれば、第２部分の切欠部をクリップベース部の取付孔内に形成された被挟持部に合わせて差し込むことで、第２部分の挟持部を取付孔内の被挟持部に挟持させることができ、取り付けやすく、且つ一度取り付けた後は簡単に外れにくい構成とすることができる。
【００１５】
請求項３記載の発明によれば、弾性体の第１部分はクリップの表側に形成された長溝内に収められるために、クリップの表側でクリップの一部として外部に露出してワンポイントとなって見栄えを向上させることができる。弾性体の第１部分が露出するだけであるので、弾性体の全体形状は、使用者に意識させることがない。
【００１７】
請求項４及び５記載の発明によれば、組立時に凸部を凹部に嵌合する際に、嵌合操作を容易にすることができる。
【発明を実施するための最良の形態】
【００１８】
以下、図面を用いて本発明の実施の形態を説明する。
図１は、本発明に係るクリップ取付構造が適用される筆記具の全体図、図２はその内部構造を表す断面図である。図において、１０はクリップが取り付けられる製品であり、この例では、筆記具であるが、化粧具その他の任意の製品とすることができる。製品１０は、詳細には、軸筒１２と、該軸筒１２内に収容された複数の筆記軸１４，１６と、筆記軸１４，１６の後端に取り付けられたスライダ１８，２０と、各筆記軸１４，１６の後部の周囲に巻回されるコイルスプリング２２，２４とから構成される。
【００１９】
軸筒１２は、前軸筒１２Ａ、後軸筒１２Ｂ、後軸筒１２Ｂ内で固定されたガイド筒１２Ｃ及び前軸筒１２Ａのグリップ部分に設けられるグリップ部１２Ｄを有している。前軸筒１２Ａと後軸筒１２Ｂは螺合等により着脱可能に連結される。ガイド筒１２Ｃは、複数の筆記軸１４，１６を仕切るためのものである。
【００２０】
複数の筆記軸１４，１６のうちの一方の１本の筆記軸１４は、この場合シャープペンシル軸であり、他方の３本の筆記軸１６はボールペン軸となっているが、これに限るものではなく、任意の筆記軸の組み合わせが可能であり、筆記軸の本数も４本以外の任意の本数とすることができる。
【００２１】
筆記軸１４，１６に連結されるスライダ１８，２０の後部の一部は、それぞれ後軸筒１２Ｂに形成された軸孔１２ａから径方向に突出しており、軸孔１２ａを摺動可能となっている。いずれかのスライダが軸孔１２ａを前進すると、スライダは軸筒１２に係止可能となっており、前進状態を維持するためにそのスライダに連結された筆記軸の先端は軸筒１２の先端から突出して使用に供される。
【００２２】
コイルスプリング２２，２４は、ガイド筒１２Ｃの段部とスライダ１８，２０との間に介挿されており、筆記軸１４，１６を常時後方に付勢している。
【００２３】
一つのスライダ１８に、本発明のクリップ取付構造が適用されてクリップ３０が取り付けられており、この実施形態の場合、スライダ１８に、クリップ３０が直接取付けられるクリップベース部１８ａが設けられている。そして、スライダ１８及び軸筒１２を含めた製品１０が被取付部材を構成する。
【００２４】
スライダ１８とクリップ３０との間には、Ｌ字状弾性体またはＬ字状バネであるＬ字状板バネ３２が設けられており、Ｌ字状板バネ３２の第１部分である第１片部３２ａがクリップ３０に固定され、Ｌ字状板バネ３２の第２部分である第２片部３２ｂがスライダ１８に固定される。
【００２５】
詳細には、図３及び図４に示したように、スライダ１８の後部は、その一部が軸孔１２ａから径方向に突出するクリップベース部１８ａを構成しており、クリップベース部１８ａの外径側には径方向に伸びる取付孔１８ｂが形成されている。また、取付孔１８ｂ内にはその中央に被挟持部１８ｃが形成されており、被挟持部１８ｃには、図４（ｂ）に示す断面で見て、その両側外向きに突出するように形成された一対の突出部１８ｄ、１８ｄが形成される。
【００２６】
クリップベース部１８ａの取付孔１８ｂよりも前方には、図３（ａ）、図４（ｃ）に示す凹部としての貫通孔１８ｅが形成される。貫通孔１８ｅよりも前側には貫通孔１８ｅに繋がる誘導溝１８ｆが形成されている。
【００２７】
一方、クリップ３０の後部には表裏を貫通する貫通孔３０ａが形成されており、貫通孔３０ａの孔内の両側面には一対の円柱状の凸部３０ｂが形成されている。但し、凸部３０ｂは、図４（ｃ）に示すように、後側の約半分がテーパ部分となっており、該テーパ部分は後方に向かうに従って漸次突起高さが低くなっている。貫通孔３０ａは、クリップ３０の表面において軸方向に伸びる長溝部３０ｃに連通している。クリップ３０の一端部となる前部の裏面には膨出部３０ｄが形成される。クリップ３０の他端部となる後部は若干、表側に突出した操作部３０ｅとなっている。
【００２８】
Ｌ字状板バネ３２は、図５に示したように、金属製で、第１片部３２ａと第２片部３２ｂとから主として構成され、第１片部３２ａと第２片部３２ｂは、それらの面に直交する断面で見て自然状態で９０度より小さい角度をなしており、互いになす角度が弾性的に変更可能となっている。その第１片部３２ａと第２片部３２ｂとの間には小さな湾曲部３２ｃが形成されている。
【００２９】
第１片部３２ａは、その表面が僅かな曲率を持っているとよく、さらにその縁部は図５（ｃ）に示すように、裏面側に折り曲げられた折り曲げ部となっており、これによって第１片部３２ａに剛性を持たせることができる。
【００３０】
第２片部３２ｂの自由端部には図５（ｂ）に示すように、切欠部３２ｄが形成され、切欠部３２ｄの自由端部付近には互いに内向きに突出する挟持凸部３２ｅが形成されている。
【００３１】
以上のように構成されるクリップ取付構造において、クリップ３０をスライダ１８に組み立てるには、図６に示すように、クリップ３０をスライダ１８に前方から接近させて、クリップ３０の凸部３０ｂをスライダ１８の誘導溝１８ｆに沿って移動させて、貫通孔１８ｅに嵌合して、クリップ３０をスライダ１８のクリップベース部１８ａに取り付ける。このとき、凸部３０ｂのテーパ部によって容易に誘導溝１８ｆへの挿入及び誘導溝１８ｆ内での移動がなされるようになっている。次いで、Ｌ字状板バネ３２を、クリップ３０の表側から貫通孔３０ａに通して差込み、Ｌ字状板バネ３２の第２片部３２ｂをスライダ１８の取付孔１８ｂに押し入れる。そして、第２片部３２ｂの切欠部３２ｄ内に取付孔１８ｂ内の被挟持部１８ｃを挿入して、一対の挟持凸部３２ｅの間が押し広げられて突出部１８ｄを乗り越えると、挟持凸部３２ｅが被挟持部１８ｃを挟持して固定される。同時に、Ｌ字状板バネ３２の第１片部３２ａは長溝部３０ｃに収まる。
【００３２】
これによってクリップ３０及びＬ字状板バネ３２がスライダ１８に取付けられ、クリップ３０とスライダ１８は凸部３０ｂと貫通孔１８ｅの嵌合部分を軸支部として回動可能に結合される。また、Ｌ字状板バネ３２の第１片部３２ａと第２片部３２ｂのなす角度は自然状態よりも強制的にやや大きく略９０度に設定されるので、第１片部３２ａと第２片部３２ｂとの角度を小さくするように弾性復元力が働き、これによって、クリップ３０の膨出部３０ｄは軸筒１２に当接されるように付勢され、両者の間に挟着力が発生する。
【００３３】
以上の組立に際して、スライダ１８を特別に位置決めする必要はないため、スライダ１８が筆記軸１４に連結されてその一部が軸筒１２内にある状態でも、簡単に組立作業を行うことができる。
【００３４】
以上のように組み立てられたクリップ取付構造において、図７に示すように、クリップ３０の後部の操作部３０ｅをスライダ１８及び軸筒１２の方に向かって押し付けると、前記軸支部を中心としてクリップ３０が揺動することができ、膨出部３０ｄが軸筒１２から離反することができるために、物をその間に挿入することができる。クリップ３０の操作部３０ｅへの力を解除すると、Ｌ字状板バネ３２の復元力によって、膨出部３０ｄが軸筒１２へと当接する元の方向にクリップ３０が回転し、よって、挿入した物を確実に挟むことができる。
【００３５】
この実施形態では、Ｌ字状板バネ３２の挟持部である挟持凸部３２ｅが第２片部３２ｂの面内に形成されており、Ｌ字状板バネ３２がクリップ３０の回転によって変形しても、一対の挟持凸部３２ｅの間隔の変動は小さく、従って、一度、挟持凸部３２ｅが被挟持部１８ｃを挟持すると、簡単に外れることはない。
【００３６】
この実施形態では、クリップ３０の長溝部３０ｃに収められたＬ字状板バネ３２の第１片部３２ａが金属色を呈してクリップ３０の表側で外部に露出してワンポイントとなって高級感を与えるが、それ以外のクリップ３０の部分はほとんど見えないようになっている。つまり、Ｌ字状板バネ３２を意識させることがないので、見栄えの良いものとなっている。
【００３７】
さらには、凸部３０ｂと貫通孔１８ｅとが嵌合しているために、Ｌ字状板バネ３２が破損しても、クリップ３０と被取付部材との間の連結は保持される。
【００３８】
図８ないし図１１は、本発明による他の実施形態によるクリップ取付構造を表す図であり、スライダ１１８の後部は、その一部が軸孔１２ａから径方向に突出するクリップベース部１１８ａを構成しており、クリップベース部１１８ａには径方向に伸びる取付孔１１８ｂが形成されている。また、取付孔１１８ｂ内には係止段部１１８ｃが形成されている。クリップベース部１１８ａの取付孔１１８ｂよりも前方には、両側に一対の凹部１１８ｄが形成される。凹部１１８ｄは円柱状の形状をなしている。
【００３９】
一方、クリップ１３０の後部には表裏を貫通する貫通孔１３０ａが形成されており、貫通孔１３０ａの孔内の両側面には一対の円柱状の凸部１３０ｂが形成されている。但し、凸部１３０ｂは、図９（ｂ）に示すように、クリップ裏側に近い約半分の部分がテーパ面となっており、該テーパ面は凹部１１８ｄの形成されたクリップベース部１１８ａにより近づくに連れて漸次突起高さが低くなっている。貫通孔１３０ａは、クリップ１３０の表面において軸方向に伸びる長溝部１３０ｃに連通している。クリップ１３０の一端部となる前部の裏面には膨出部１３０ｄが形成される。クリップ１３０の他端部となる後部は若干、表側にやや反り返った操作部１３０ｅとなっている。
【００４０】
Ｌ字状板バネ１３２は、図１０に示したように、金属製で第１部分１３２ａと第２部分１３２ｂとが互いに略直交しており、第２部分１３２ｂの先端は折り返された折り返し部１３２ｃとなっている。また、第１部分１３２ａの表面には僅かな曲率を設けるとよい。
【００４１】
以上のように構成されるクリップ取付構造において、クリップ１３０をスライダ１１８に組み立てるには、図１１に示すように、クリップ１３０をスライダ１１８に接近させて、クリップ１３０の凸部１３０ｂをスライダ１１８の凹部１１８ｄに嵌合して、クリップ１３０をスライダ１１８のクリップベース部１１８に取り付ける。このとき、凸部１３０ｂのテーパ面によって容易に凹部１１８ｄへの嵌合がなされるようになっている。次いで、Ｌ字状板バネ１３２を、クリップ１３０の表側から貫通孔１３０ａに通して差込み、クリップ１３０の第２部分１３２ｂをスライダ１１８の取付孔１１８ｂに押し入れる。これによって、第２部分１３２ｂの折り返し部１３２ｃは、取付孔１１８ｂで圧縮された状態となり、折り返し部１３２ｃの先端が係止段部１１８ｃに係止されて固定される。同時に、Ｌ字状板バネ１３２の第１部分１３２ａは長溝部１３０ｃに収まる。
【００４２】
これによってクリップ１３０及びＬ字状板バネ１３２がスライダ１１８に取付けられ、クリップ１３０とスライダ１１８は凸部１３０ｂと凹部１１８ｄの嵌合部分を軸支部として回動可能に結合される。また、Ｌ字状板バネ１３２によって、クリップ１３０の膨出部１３０ｄは軸筒１２に当接されるように付勢され、両者の間に挟着力が発生する。
【００４３】
Ｌ字状板バネ１３２の第１部分１３２ａは、長溝部１３０ｃ内において、主としてその軸支部に近い部分は長溝部１３０ｃの底部から離反し、軸支部から遠い部分で長溝部１３０ｃの底部に当接してクリップ１３０へ荷重を作用させるようになっている。このように作用点を軸支部から遠い地点とすることによって、てこの原理により軽い荷重によってクリップ１３０を付勢することができ、非揺動時と揺動時との力の差が小さくなり、板バネ１３２のバネ力を十分に生かすことができる。
【００４４】
以上の組立に際して、スライダ１１８を特別に位置決めする必要はないため、スライダ１１８が筆記軸１４に連結されてその一部が軸筒１２内にある状態でも、簡単に組立作業を行うことができる。
【００４５】
以上のように組み立てられたクリップ取付構造において、クリップ１３０の後部の操作部１３０ｅをスライダ１１８及び軸筒１２の方に向かって押し付けると、前記軸支部を中心としてクリップ１３０が揺動することができ、膨出部１３０ｄが軸筒１２から離反することができるために、物をその間に挿入することができる。Ｌ字状板バネ１３２の第１部分１３２ａは長溝部１３０ｃ内で多少上下に変位する。クリップ１３０の操作部１３０ｅへの力を解除すると、Ｌ字状板バネ１３２の復元力によって、膨出部１３０ｄが軸筒１２へと当接する元の方向にクリップ１３０が回転し、よって、挿入した物を確実に挟むことができる。
【００４６】
この実施形態では、図８（ｂ）に示すように、クリップ１３０の長溝部１３０ｃに収められたＬ字状板バネ１３２の第１部分１３２ａが金属色を呈してクリップ１３０の表側で外部に露出してワンポイントとなって高級感を与えるが、それ以外のクリップ１３０の部分はほとんど見えないようになっている。つまり、Ｌ字状板バネ１３２を意識させることがないので、見栄えの良いものとなっている。
【００４７】
さらには、凸部１３０ｂと凹部１１８ｄとが嵌合しているために、Ｌ字状板バネ１３２が破損しても、クリップ１３０と被取付部材との間の連結は保持される。
【００４８】
次に、図１２は、スライダとクリップとの間のクリップ取付構造の第３実施形態を表す。この例では、クリップ１３０の貫通孔１３０ａは省略可能で、クリップ１３０の裏面に長溝部１３０ｃが形成されており、長溝部１３０ｃの後部の両側面に凸部１３０ｂが形成されている。
【００４９】
この例の組立においては、まず、クリップ１３０の長溝部１３０ｃにＬ字状板バネ１３２の第１部分１３２ａを差込み、次いで、クリップ１３０とＬ字状板バネ１３２を一緒にスライダ１１８に接近させて、Ｌ字状板バネ１３２の第２部分１３２ｂを、スライダ１１８の取付孔１１８ｂに押し入れる。これによって、第２部分１３２ｂの折り返し部１３２ｃは、取付孔１１８ｂで圧縮された状態となり、折り返し部１３２ｃの先端が係止段部１１８ｃに係止されて固定される。同時に、クリップ１３０の凸部１３０ｂがスライダ１１８の凹部１１８ｄに嵌合する。
【００５０】
この例では、Ｌ字状板バネ１３２が露出しないために、外観上、使用者にＬ字状板バネ１３２の存在自体を意識させることはないが、クリップ１３０を揺動させたときにはＬ字状板バネ１３２の復元力により、良好な操作感を使用者に与えることができる。
【００５１】
また、Ｌ字状板バネ１３２に影響を受けることなく、クリップ１３０の形状を所望の形状とすることにより、見栄えを良好にすることができる。
【００５２】
また、この実施形態においても、Ｌ字状板バネ１３２が長溝部１３０ｃ内において、軸支部から遠い部分で長溝部１３０ｃの(上方に位置する)底部に当接してクリップ１３０へ荷重を作用させるようになっている。このように作用点を軸支部から遠い地点とすることによって、てこの原理により軽い荷重によってクリップ１３０を付勢することができ、非揺動時と揺動時との力の差が小さくなり、Ｌ字状板バネ１３２のバネ力を十分に生かすことができる。
【００５３】
図１３は、スライダとクリップとの間のクリップ取付構造の第４実施形態を表す。この例では、クリップ１３０の凸部１３０ｂが貫通孔１３０ａよりも後方にある例であり、組立は、図１１と同じ手順で行うことができる。この例では、クリップ１３０の物を挟む側の長さを長くとることができ、Ｌ字状板バネ１３２の第１部分１３２ａの長さも長くとることができて、柔らかい感触を与えることができる。
【００５４】
図１４は、スライダとクリップとの間のクリップ取付構造の第５実施形態を表す。この例では、Ｌ字状板バネ１３２とする代わりにＬ字状丸棒バネ１３２−１を使用した例である。この場合には、Ｌ字状丸棒バネ１３２−１の第２部分１３２ｂを、スライダ１１８のクリップベース部１１８ａの取付孔１１８ｂに圧入することにより、Ｌ字状丸棒バネ１３２−１を被取付部材に固定している。
【００５５】
図１５は、スライダとクリップとの間のクリップ取付構造の第６実施形態を表す。この例では、Ｌ字状板バネ１３２の第２部分１３２ｂに折り返し部を設ける代わりに、第２部分１３２ｂに凹凸を設けて、その凹凸付きの第２部分１３２ｂをスライダ１１８のクリップベース部１１８ａの取付孔１１８ｂに圧入することにより、Ｌ字状板バネ１３２を被取付部材に固定している。または、図１５の変形例として、図１８に示したように、第２部分１３２ｂの両側部に鋸状の凹凸を設けて、その凹凸付きの第２部分１３２ｂをスライダ１１８のクリップベース部１１８ａの取付孔１１８ｂに圧入することにより、Ｌ字状板バネ１３２を被取付部材に固定することも可能である。
【００５６】
図１６は、スライダとクリップとの間のクリップ取付構造の第７実施形態を表す。この例では、Ｌ字状板バネ１３２の第２部分１３２ｂの折り返し部１３２ｃを、第１部分１３２ａ側と反対の反第１部分側に折り返した例である。この折り返し部１３２ｃに合わせて、スライダ１１８のクリップベース部１１８ａの取付孔１１８ｂの反第１部分側に係止段部１１８ｃが形成されている。係止段部１１８ｃの段部の高さを確保することにより、強度を持たせることができる。
【００５７】
以上の例の他、様々な変形が可能である。
・係止段部１１８ｃを省略して、バネ１３２の第２部分１３２ｂの折り返し部１３２ｃの弾性力で取付孔１８ｂに取付けることも可能である。但し、取付強度を高めるには、係止段部１８ｃを設けてその段部の高さを高くすることが望ましい。
または、取付孔１８ｂ、１１８ｂにバネ３２，１３２の第２片部３２ｂ、第２部分１３２ｂを挟持、係止若しくは圧入する代わりにまたは挟持、係止若しくは圧入に加えて接着剤による接着を行なうこともできる。
【００５８】
・クリップ３０、１３０に凸部３０ｂ、１３０ｂ、クリップベース部１８ａ、１１８ａに貫通孔１８ｅ、凹部１１８ｄを設けていたが、クリップに凹部、クリップベース部に凸部を設けることも可能である。また、凸部３０ｂ、１３０ｂ、貫通孔１８ｅ、凹部１１８ｄは円柱形状をなしていたが、これに限るものではなく、凹部を角形状の穴とし、その穴の中に円柱状の凸部を嵌合するようにしてもよい。
【００５９】
・スライダ１８、１１８にクリップベース部１８ａ、１１８ａを設けたが、これに限るものではなく、図１７に示したように、被取付部材である製品の任意の部分にクリップベース部を設けることが可能である。また、製品１０として任意の構成のものとすることができる。
【図面の簡単な説明】
【００６０】
【図１】本発明に係るクリップ取付構造が適用される筆記具の全体図である。
【図２】本発明に係るクリップ取付構造が適用される筆記具の内部構造を表す全体図である。
【図３】クリップ取付構造を示す図であり、（ａ）はクリップのみを断面として側方から見た図、（ｂ）は平面図である。
【図４】クリップ取付構造を示す図であり、（ａ）は縦断面図、（ｂ）は４ｂ−４ｂ線に沿って見た断面図、（ｃ）は４ｃ−４ｃ線に沿って見た断面図（分かり易くするために板バネの図示を省いている）である。
【図５】板バネの（ａ）は側面図、（ｂ）は矢印５ｂから見た第２片部の矢視図、（ｃ）は５ｃ−５ｃ線に沿って見た断面図である。
【図６】クリップ取付構造の組立手順を表す断面図である。
【図７】クリップ取付構造のクリップが揺動した状態を表す図である。
【図８】クリップ取付構造を示す第２実施形態の図であり、（ａ）はクリップを断面として側方から見た図、（ｂ）は平面図である。
【図９】クリップ取付構造を示す図であり、（ａ）は縦断面図、（ｂ）は９ｂ−９ｂ線に沿って見た断面図、（ｃ）は９ｃ−９ｃ線に沿って見た断面図である。
【図１０】Ｌ字状板バネの斜視図である。
【図１１】クリップ取付構造の組立手順を表す断面図である。
【図１２】クリップ取付構造の第３実施形態を表す図であり、（ａ）は縦断面図、（ｂ）は揺動時の図である。
【図１３】クリップ取付構造の第４実施形態を表す図であり、（ａ）は縦断面図、（ｂ）は揺動時の図である。
【図１４】クリップ取付構造の第５実施形態を表す図であり、（ａ）は縦断面図、（ｂ）は平面図である。
【図１５】クリップ取付構造の第６実施形態を表す図であり、（ａ）は縦断面図、（ｂ）はＬ字状板バネの斜視図、（ｃ）はＬ字状板バネの断面図である。
【図１６】クリップ取付構造の第７実施形態を表す縦断面図である。
【図１７】クリップ取付構造が被取付部材の別の部分に設けられた例を示す全体図である。
【図１８】Ｌ字状板バネの他の例を表す斜視図である。
【符号の説明】
【００６１】
１０  製品（被取付部材）
１８  スライダ（被取付部材）
１８ａ  クリップベース部
１８ｂ  取付穴
１８ｃ  被挟持部
１８ｄ  突出部
１８ｅ  貫通孔（凹部）
３０  クリップ
３０ａ  貫通孔
３０ｂ  凸部
３０ｃ  長溝部
３２  Ｌ字状板バネ（弾性体）
３２ａ  第１片部（第１部分）
３２ｂ  第２片部（第２部分）
３２ｄ  切欠部
３２ｅ  挟持凸部（挟持部）
１１８  スライダ（被取付部材）
１１８ａ  クリップベース部
１１８ｂ  取付孔
１１８ｃ  係止段部
１１８ｄ  凹部
１３０  クリップ
１３０ａ  貫通孔
１３０ｂ  凸部
１３０ｃ  長溝部
１３２  Ｌ字状板バネ（弾性体）
１３２−１  Ｌ字状丸棒バネ（弾性体）
１３２ａ  第１部分
１３２ｂ  第２部分
１３２ｃ  折り返し部
【図１】
0005184829.tif 000002
【図２】
0005184829.tif 000003
【図３】
0005184829.tif 000004
【図４】
0005184829.tif 000005
【図５】
0005184829.tif 000006
【図６】
0005184829.tif 000007
【図７】
0005184829.tif 000008
【図８】
0005184829.tif 000009
【図９】
0005184829.tif 000010
【図１０】
0005184829.tif 000011
【図１１】
0005184829.tif 000012
【図１２】
0005184829.tif 000013
【図１３】
0005184829.tif 000014
【図１４】
0005184829.tif 000015
【図１５】
0005184829.tif 000016
【図１６】
0005184829.tif 000017
【図１７】
0005184829.tif 000018
【図１８】
0005184829.tif 000019